(57)【特許請求の範囲】
【請求項１】
内部の電線を保護するための金属製の保護管の端部に配置されるキャップと、
前記キャップが配置された前記保護管の端部の近傍を少なくとも覆うプロテクタと、
を備え、
前記キャップ及び前記プロテクタには、互いに嵌合する凹凸が形成されており、
前記キャップは、前記保護管の外側に配置された略円筒状の外周カバー部を有し、
前記キャップの外周面には、前記保護管の周方向に沿って凸部又は凹部が形成され、
前記プロテクタは上部カバーと下部カバーとに分割可能に構成されており、前記上部カバー及び前記下部カバーのそれぞれには、前記キャップに形成された凹部又は凸部に嵌合するようにキャップ受け部が形成され、
前記キャップ受け部には、前記キャップの外周面に沿った形状の接触壁が形成され、
前記下部カバーと前記上部カバーとを合わせることにより、前記下部カバー側の前記キャップ受け部と、前記上部カバー側の前記キャップ受け部と、によって前記キャップを挟み込んで固定することを特徴とする保護管固定構造。
【請求項２】
請求項１に記載の保護管固定構造であって、
前記キャップが樹脂又はゴム製であることを特徴とする保護管固定構造。
【請求項３】
請求項１又は２に記載の保護管固定構造であって、
前記プロテクタは、前記保護管の前記端部から引き出された電線の少なくとも一部を覆うことを特徴とする保護管固定構造。
【請求項４】
請求項１から３までの何れか一項に記載の保護管固定構造であって、
前記キャップは、保護管の端面によって電線が傷付くことを防止するための端末保護キャップを兼ねていることを特徴とする保護管固定構造。
【発明の詳細な説明】
【技術分野】
【０００１】
本発明は、電線を保護する金属管を固定するための固定構造に関する。
【背景技術】
【０００２】
電気自動車における高圧電線は太いため、車体の外底面に配索されることが多い。ところが、このような電線が車体の底面に露出していると、車体走行中に飛散した石などによって破損する可能性がある。この点、従来から、配索された電線や配管を保護するためのプロテクタが各種提案されている（例えば特許文献１、特許文献２、特許文献３）。上記特許文献に記載されているプロテクタは、電線（又は配管）の直線状の部分を保護するように構成されている。しかし、電気自動車において前記高圧電線は複雑な配索経路で張り巡らされるから、直線状の部分のみを保護するタイプのプロテクタでは電線全体を保護することができない。
【０００３】
一方で従来から、コルゲート管や蛇腹管などの保護管に電線を内挿して、電線を保護する構成が知られている（例えば特許文献３、特許文献４）。コルゲート管等は容易に変形させることができるので、複雑な経路で配索された電線にも対応することができる。ところがコルゲート管は一般的に肉薄の合成樹脂製であるため、車体走行中に飛散する石などの衝撃に耐え得るものではない。
【０００４】
そこで、コルゲート管や蛇腹管の代わりに、金属管によって電線を保護する構成が考えられている（例えば特許文献５、特許文献６）。金属管は、自由に曲げて配管でき、車体走行中に飛散する石などによって破損するおそれも少ない。また、金属管はシールド性を持たせることができるので、電気自動車の高圧電線に対して用いることが特に好適である。
【先行技術文献】
【特許文献】
【０００５】
【特許文献１】実開昭６１−１８２３５２号公報
【特許文献２】実開昭６２−１９４５９号公報
【特許文献３】特開２００２−１８６１３１号公報
【特許文献４】特開２００９−１４３３２６号公報
【特許文献５】特開２００４−１７１９５２号公報
【特許文献６】特開２００８−１７７１１５号公報
【特許文献７】実開昭６２−１１０５３号公報
【発明の概要】
【発明が解決しようとする課題】
【０００６】
ところで、電線の保護管としてコルゲート管を用いる場合であっても、金属管を用いる場合であっても、当該保護管の位置がズレないように固定する必要がある。
【０００７】
この点、特許文献３は、コルゲート管の外径に合致させた半円状の凹部をプロテクタの下カバーに形成しておき、当該凹部にコルゲート管を収めて、上カバーとの間で挟み付けて固定する構成を開示している。この構成によれば、半円状の凹部をコルゲート管の凹凸に嵌めるという簡単な構成で、当該コルゲート管を固定することができる。またこの構成によれば、上下のカバーで挟み込むだけでコルゲート管を固定することができるので、当該固定作業を簡単に行うことができる。
【０００８】
ところが、金属管はコルゲート管のような凹凸を有しておらず、そのような凹凸を金属管の表面に形成するのも困難である。従って、上記特許文献３の構成を金属管の固定に採用することはできない。
【０００９】
一方、特許文献７は、配管を保護するための保護管（プロテクタ）にコ字状の切欠き部を設けて、この切欠き部に平板状の係止部材を固着した構成を開示している。そして、上記係止部材を、配管を締め付けているホースクランプの締付ボルト軸に掛止することで、保護管を固定する構成である。しかし、この構成では、保護管に切欠きを形成して係止部材を固着するなどの加工が必要となってしまう。また、保護管を固定するためのホースクランプを配管に締め付けなければならず、保護管の固定作業が面倒なものとなってしまう。
【００１０】
本発明は以上の事情に鑑みてされたものであり、その主要な目的は、金属製の保護管を簡単に固定できる構成を提供することにある。
【課題を解決するための手段及び効果】
【００１１】
本発明の解決しようとする課題は以上の如くであり、次にこの課題を解決するための手段とその効果を説明する。
【００１２】
本発明の観点によれば、以下の構成の保護管固定構造が提供される。即ち、この保護管固定構造は、キャップと、プロテクタと、を備える。前記キャップは、内部の電線を保護するための金属製の保護管の端部に配置される。前記プロテクタは、前記キャップが配置された前記保護管の端部の近傍を少なくとも覆う。前記キャップ及び前記プロテクタには、互いに嵌合する凹凸が形成されている。前記キャップは、前記保護管の外側に配置された略円筒状の外周カバー部を有する。前記キャップの外周面には、前記保護管の周方向に沿って凸部又は凹部が形成される。前記プロテクタは上部カバーと下部カバーとに分割可能に構成されており、前記上部カバー及び前記下部カバーのそれぞれには、前記キャップに形成された凹部又は凸部に嵌合するようにキャップ受け部が形成される。前記キャップ受け部には、前記キャップの外周面に沿った形状の接触壁が形成される。前記下部カバーと前記上部カバーとを合わせることにより、前記下部カバー側の前記キャップ受け部と、前記上部カバー側の前記キャップ受け部と、によって前記キャップを挟み込んで固定する。
【００１３】
この構成によれば、キャップとプロテクタの凹凸を嵌合させるだけで、当該キャップが取り付けられた金属製の保護管をプロテクタに対して簡単に固定することができる。また、接触壁にキャップを接触させることで、当該キャップが半径方向で動かないように固定することができる。また、周方向に沿って形成された凹凸にキャップ受け部を嵌合させることにより、キャップが軸方向で動かないように固定することができる。
【００１４】
上記の保護管固定構造においては、前記キャップが樹脂又はゴム製であることが好ましい。
【００１５】
即ち、樹脂やゴムであれば、凹凸を有する形状を簡単に形成することができるので、キャップの素材として特に好適である。
【００１８】
上記の保護管固定構造において、前記プロテクタは、前記保護管の前記端部から引き出された電線の少なくとも一部を覆って保護することが好ましい。
【００１９】
即ち、保護管から引き出された電線は剥き出しの状態であるから、プロテクタによって覆って保護するように構成すれば好適である。
【００２０】
上記の保護管固定構造において、前記キャップは、保護管の端面によって電線が傷付くことを防止するための端末保護キャップを兼ねていることが好ましい。
【００２１】
これにより、電線が傷付くことを防止することができる。
【図面の簡単な説明】
【００２２】
【図１】プロテクタ内部の様子を示す平面図。
【図２】端末保護キャップの近傍を拡大した斜視図。
【図３】端末保護キャップの斜視図。
【図４】端末保護キャップを取り付けた状態の保護管の側面断面図。
【図５】プロテクタの上下カバーによって端末保護キャップを挟み込む様子を示す一部断面斜視図。
【図６】保護管固定構造の側面断面図。
【図７】保護管と端末保護キャップをテープで固定した様子を示す側面図。
【発明を実施するための形態】
【００２３】
次に、図面を参照して、本発明の実施形態について説明する。本実施形態に係る保護管固定構造１０は、電気自動車において、内部に電線１１を挿通させた金属製の保護管１２を、プロテクタ２０に対して固定するためのものである。図１に示すように、本実施形態に係る保護管固定構造１０は、プロテクタ２０と、端末保護キャップ３０と、を備えている。
【００２４】
前記保護管１２は、飛散する石などから内部の電線１１を保護するためのものである。なお本実施形態では、軽量化や耐腐食性の観点から、アルミニウム製（又はアルミニウム合金製）の保護管（アルミ管）を採用している。なお、このように金属製の保護管１２を用いることにより、シールド性を持たせることができる。
【００２５】
ところで、このような金属製の保護管１２に電線１１を挿通させると、当該保護管１２の端面のエッジによって電線１１が傷付いてしまうおそれがある。そこで本実施形態では、図１及び図２に示すように、保護管１２の端面をカバーする合成樹脂製の端末保護キャップ３０を、当該保護管１２の端部に配置している。図３及び図４に示すように、この端末保護キャップ３０は、外周カバー部３２と、端面カバー部３１と、を有している。外周カバー部３２は、略円筒状に形成され、保護管１２の外周面よりも外側に配置される。端面カバー部３１は、外周カバー部３２から半径方向内側に向けて延伸され、保護管１２の端面に対向するように配置される。端面カバー部３１は、保護管１２の端面に近接又は接触して配置されており、これにより当該端面に電線が直接触れることが無いようになっている。
【００２６】
端末保護キャップ３０は樹脂製とされているので、端面カバー部３１に電線１１が接触しても、当該電線１１が傷付くおそれは無い。もっとも、端末保護キャップ３０はゴム製であっても良い。以上の構成により、保護管１２の端面のエッジに電線１１が接触することがないので、当該電線１１が傷付くことを防止できる。
【００２７】
なお、端末保護キャップ３０の端面カバー部３１は、保護管１２の端部を全て覆っている訳ではなく、保護管１２内の電線１１を外部に引き出すことができるように挿通孔３３が形成されている。また、外周カバー部３２には切欠き３４（図３）が形成されており、当該外周カバー部３２を外側に拡げるように弾性変形させることができるようになっている。これにより、外周カバー部３２を拡げながら端末保護キャップ３０を保護管１２に取り付けることができるので、当該端末保護キャップ３０の取り付けが容易になる。
【００２８】
プロテクタ２０は、比較的肉厚の合成樹脂により形成されており、車体底面に固定される。このプロテクタ２０は、電線１１や保護管１２を外側から覆うことにより、エンジンの排熱や、走行時に飛散する石などから電線１１を保護するためのものである。本実施形態の場合、電線１１は金属製の保護管１２によって保護されているが、エンジンの排熱等から電線１１を保護するために一部をプロテクタ２０で保護しなければならない場合があり、このような場合にプロテクタ２０を配置する。
【００２９】
また、プロテクタ２０は、上記のように電線１１を保護する機能に加えて、電線１１の配線経路を規制する機能も有する（なお、経路規制のみを目的としたプロテクタも存在する）。即ち、図１に示すように、プロテクタ２０の内部には、電線１１及び保護管１２の配索経路に沿って適宜の区画壁２３が形成されており、プロテクタ２０内で複数の電線（及び保護管）が適切に配索できるように構成されている。
【００３０】
ところで、上記のように保護管１２を適切に配索するためには、プロテクタ２０に対して保護管１２がズレないように固定されている必要がある。ところが前述のように、金属製の保護管１２の表面には凹凸が無いため、そのままでは保護管１２を固定することが難しい。従って、従来は、金属製の保護管をプロテクタに対して簡単に固定することができなかった。そもそも従来は、金属製の保護管のように凹凸の無いものをプロテクタに固定するという発想が無かったので、金属製の保護管とプロテクタは別々に固定していた。このため従来は、当該固定作業に手間がかかっていた。
【００３１】
一方で、端末保護キャップ３０は樹脂製であるから、例えば射出成形などによって成形することで前記凹凸を容易に形成することができる。この点に着目し、本実施形態の保護管固定構造１０では、プロテクタ２０に対して保護管１２を固定するために、端末保護キャップ３０の外周に凹凸が形成されている。そして、端末保護キャップ３０の凹凸を、プロテクタ２０に形成された適宜の凹凸に嵌合させることにより、当該端末保護キャップ３０をプロテクタ２０に固定することができる。これにより、端末保護キャップ３０を取り付けた状態の保護管１２をプロテクタ２０に固定することができる。即ち、端末保護キャップ３０を介して間接的に保護管１２を固定することができるのである。
【００３２】
以下、より具体的に説明する。
【００３３】
端末保護キャップ３０の外周カバー部３２には、保護管１２の周方向（以下、単に「周方向」と言う）に沿ったリング状の凸部が形成されている。本実施形態において凸部は複数形成されており、保護管の軸方向（以下、単に「軸方向」と言う）で挿通孔３３側から順に、第１凸部３５、第２凸部３６、第３凸部３７となっている。また、外周カバー部３２の外周面において、第１凸部３５と第２凸部３６との間の部分を第１凹部３８、第２凸部３６と第３凸部３７との間の部分を第２凹部３９とする。なお前述のように、外周カバー部３２には切欠き３４が形成されているので、この部分に形成されている第３凸部３７及び第２凹部３９は周方向で不連続となっている。このように凸部及び凹部が周方向で不連続な場合であっても、キャップ受け部に嵌合して端末保護キャップ３０を固定するという効果（後述）を損なうことはない。
【００３４】
プロテクタ２０は上下に分割可能に構成されており、図５及び図６に示すように、電線１１（及び保護管１２）の下半分をカバーする下部カバー２１と、電線１１（及び保護管１２）の上半分をカバーする上部カバー２２と、から構成されている。なお、図１及び図２には、プロテクタ２０の内部の様子を示すために下部カバー２１のみ図示している。そして、下部カバー２１と上部カバー２２との間に電線１１（及び保護管１２）を挟み込むように配置することで、電線１１（及び保護管１２）を、エンジンの排熱や、飛散する石などから保護するように構成されている。このように、下部カバー２１と上部カバー２２との間には、電線１１及び保護管１２等を配索できるスペースが形成されている。
【００３５】
また、下部カバー２１及び上部カバー２２には、端末保護キャップ３０と対応した位置に、当該端末保護キャップ３０を受けるためのキャップ受け部２４が形成されている。
【００３６】
キャップ受け部２４は、下部カバー２１（及び上部カバー２２）からプロテクタ２０の内側に向けて突出した凸部として形成されている。キャップ受け部２４の軸方向の長さは、第２凹部３９の軸方向の長さよりも若干短くなっている。これにより、図６に示すように、キャップ受け部２４が、第２凸部３６と第３凸部３７の間に嵌合可能となっている。また、図５に示すように、キャップ受け部２４には、第２凹部３９の外周面の形状に沿った形状に形成された接触壁２５が形成されている。これにより、キャップ受け部２４が第２凸部３６及び第３凸部３７の間に嵌合すると、第２凹部３９の外周面に接触壁２５が接触できるようになっている。
【００３７】
そして前述のように、キャップ受け部２４は、下部カバー２１と上部カバー２２の両方に形成されている。従って、下部カバー２１と上部カバー２２とを合わせることにより、下部カバー２１側のキャップ受け部２４と、上部カバー２２側のキャップ受け部２４と、によって端末保護キャップ３０を挟み込むことができる（図６の状態）。以上の構成により、端末保護キャップ３０をプロテクタ２０に対して固定することができる。
【００３８】
より具体的には、端末保護キャップ３０の外周面に対して、当該外周面に沿った形状の接触壁２５が外側から接触することにより、端末保護キャップ３０が保護管１２の半径方向（以下、単に「半径方向」と言う）に動くことを阻止する。また、第２凸部３６と第３凸部３７がキャップ受け部２４の軸方向縁部に接触してストッパの役割を果たし、端末保護キャップ３０が軸方向に動くことを阻止する。以上のように、端末保護キャップ３０の凹凸をキャップ受け部２４に嵌合させることにより、当該端末保護キャップ３０を固定することができるので、当該端末保護キャップ３０を取り付けた状態の保護管１２をプロテクタ２０に対して固定することができるのである。
【００３９】
また、保護管１２内部の電線１１は、当該保護管１２の端部から外部に引き出されることになるが、このように外部に引き出された電線は剥き出しの状態であるから、別途プロテクタで覆わなければならない場合がある。この点、本実施形態のプロテクタ２０は、保護管１２の端部に配置された端末保護キャップ３０に嵌合する構成であるから、少なくとも保護管１２の端部近傍を覆って保護するように構成されている。従って、本実施形態のプロテクタ２０によれば、保護管１２の前記端部から引き出された電線１１を無理なく覆って保護することができる。このように、上記実施形態の保護管固定構造１０の構成は、電線１１を保護するという保護管１２本来の目的からしても極めて優れているのである。
【００４０】
以上のように構成された保護管固定構造１０によって保護管１２を固定する作業は、以下のようにして行う。
【００４１】
即ち、まず保護管１２の端部に端末保護キャップ３０を配置する。
【００４２】
次に、当該保護管１２の内部に電線１１を挿入する。このとき、端末保護キャップ３０によって保護管１２の端面がカバーされているので、当該端面のエッジによって電線１１が傷付くことがない。
【００４３】
続いて、下部カバー２１又は上部カバー２２のキャップ受け部２４に端末保護キャップ３０の位置を合わせるようにして、保護管１２を設置する。
【００４４】
最後に、下部カバー２１と上部カバー２２を合わせて、端末保護キャップ３０、保護管１２、及び電線１１を挟み込む。これにより、端末保護キャップ３０がプロテクタ２０に固定される。従って、端末保護キャップ３０を取り付けた状態の保護管１２も、プロテクタ２０に対して固定されることになる。
【００４５】
以上のように、保護管１２に端末保護キャップ３０を嵌めてプロテクタ２０の上下カバーで挟み込むだけという簡単な作業で、当該保護管１２をプロテクタ２０に固定することができる。
【００４６】
以上で説明したように、本実施形態の保護管固定構造１０は、端末保護キャップ３０と、プロテクタ２０と、を備える。端末保護キャップ３０は、内部の電線１１を保護するための金属製の保護管１２の端部に配置される。プロテクタ２０は、端末保護キャップ３０が配置された保護管１２の端部の近傍を少なくとも覆う。そして端末保護キャップ３０及びプロテクタ２０には、互いに嵌合する凹凸が形成されている。
【００４７】
この構成により、端末保護キャップ３０とプロテクタ２０の凹凸を嵌合させだけで、当該端末保護キャップ３０が取り付けられた金属製の保護管１２をプロテクタ２０に対して簡単に固定することができる。
【００４８】
また、本実施形態の保護管固定構造１０において、端末保護キャップ３０は樹脂製である。
【００４９】
即ち、合成樹脂であれば、凹凸を有する形状を簡単に形成することができるので、端末保護キャップの素材として特に好適である。
【００５０】
また、本実施形態の保護管固定構造１０は、以下のように構成されている。即ち、端末保護キャップ３０の外周面には、保護管１２の周方向に沿って凸部３６，３７が形成される。プロテクタ２０は、端末保護キャップ３０の凸部３６，３７の間に嵌合するように形成されたキャップ受け部２４を備える。当該キャップ受け部２４には、端末保護キャップ３０の外周面に沿った形状の接触壁２５が形成される。
【００５１】
この構成で、接触壁２５に端末保護キャップ３０を接触させることで、当該端末保護キャップ３０が半径方向で動かないように固定することができる。また、周方向に沿って形成された凸部３６，３７にキャップ受け部２４を嵌合させることにより、端末保護キャップ３０が軸方向で動かないように固定することができる。
【００５２】
また、本実施形態の保護管固定構造１０において、プロテクタ２０は、保護管１２の端部から引き出された電線１１の一部を覆って保護している。
【００５３】
即ち、保護管１２から引き出された電線は剥き出しの状態であるから、プロテクタ２０によって覆って保護するように構成すれば好適である。
【００５４】
また、本実施形態の保護管固定構造１０において、端末保護キャップ３０は、保護管１２の端面によって電線１１が傷付くことを防止している。
【００５５】
以上に本発明の好適な実施の形態を説明したが、上記の構成は例えば以下のように変更することができる。
【００５６】
上記実施形態では、プロテクタ２０は車体底面に固定されるとしたが、これに限らずプロテクタ２０は車体の各部に配置することができる。そもそも、本発明の保護管固定構造は、電気自動車に限らず、保護管を固定する必要がある場合に広く適用することができる。
【００５７】
保護管１２が長い場合などは、当該保護管１２の端末部に加えて、中間部も固定したほうが良い場合がある。このような場合は、保護管１２の中間部の外周に、凹凸のある環状固定部材を設けても良い。この環状固定部材は、保護管１２の中間部に対してクランプ等で固定することができる。この環状固定部材の凹凸を、プロテクタ等の車両側固定部品に適宜形成された凹凸と嵌合させることにより、保護管１２の中間部を車両側固定部材に固定することができる。
【００５８】
端末保護キャップ３０の凸部（及び凹部）の形状や、キャップ受け部２４の形状は、図示したものに限らない。要は、端末保護キャップ３０の凸部（及び凹部）とキャップ受け部２４が嵌合することにより、端末保護キャップ３０を固定することができれば良い。
【００５９】
なお、上記の説明では、端末保護キャップ３０の凹凸とキャップ受け部２４とが嵌合するとして説明したが、これは完全に嵌まり合っている場合に限らず、両者の間に若干の遊びがある場合も含む。例えば上記実施形態では、図６等に示すように、第２凸部３６及び第３凸部３７と、キャップ受け部２４と、の間には、軸方向で若干の隙間が形成されている。同じく図６に示すように、上下のカバーを合わせた状態において、第２凹部３９の外周面と、接触壁２５との間には、保護管１２の半径方向で若干の隙間が形成されている。このように、端末保護キャップ３０の凹凸とキャップ受け部２４との間に遊びを形成することで、保護管１２の形状のバラつきに対応することができる。即ち、保護管１２は、所定の形状に曲げ加工されたうえでプロテクタ２０に固定されるが、金属管を精度良く曲げ加工することは難しいため、形状のバラつきが発生し易い。特に、電気自動車等に採用される保護管１２は非常に長いので、曲げ部分での誤差が小さかったとしても、先端部分の位置ズレは大きくなってしまう。このように保護管１２の先端部分の位置にズレがあった場合であっても、上記のように端末保護キャップ３０の凹凸とキャップ受け部２４との間に遊びを形成しているので、余裕を持ってプロテクタ２０に対して保護管１２を固定することができる。
【００６０】
図面では、一本の太い電線１１が保護管１２によって保護されている様子が示されているが、保護管１２で複数本の電線１１を保護する構成であっても良いことは言うまでもない。
【００６１】
端末保護キャップ３０を保護管１２に取り付ける際には、図７に示すように、外周カバー部３２の外周（より正確には、第２凹部３９の外周）にテープ４０を巻き付けるようにしても良い。第２凹部３９には切欠き３４が形成されているので、この部分で保護管１２の外周面にテープ４０を接触させることができる。これにより、端末保護キャップ３０と保護管１２とを、テープ４０によって確実に固定することができる。なお、この場合、第２凹部３９の軸方向両端に形成された第２凸部３６及び第３凸部３７は、第２凹部３９の外周に巻き付けられたテープ４０の位置ズレ防止部材としての役割を兼ねる。
【００６２】
なお、端末保護キャップ３０には切欠き３４が形成されているとして説明したが、切欠き３４が無い場合であっても本発明の構成を採用することができる。
【符号の説明】
【００６３】
１０  保護管固定構造
１１  電線
１２  保護管
２０  プロテクタ
２４  キャップ受け部
２５  接触壁
３０  端末保護キャップ（キャップ）
３６，３７  凸部
３９  凹部
【図１】
0005675327.tif 000002
【図２】
0005675327.tif 000003
【図３】
0005675327.tif 000004
【図４】
0005675327.tif 000005
【図５】
0005675327.tif 000006
【図６】
0005675327.tif 000007
【図７】
0005675327.tif 000008